(57)【要約】【課題】記録側の記録再生部において記録メディアに記録される音声信号を一定の音声信号とし、余計な音声切り替えやそれに伴う音声の乱れのないクリアな音声を含む情報を記録する。【解決手段】記録再生複合機に含まれるＶＴＲ記録再生部３には、再生音声切り替え部３ａが設けられている。ＶＴＲ記録再生部３からＤＶＤ−Ｒ／ＲＷ記録再生部５に情報のダビングを行う際に、制御部４１によりダビング中である旨を検知し、ＶＴＲ記録再生部３に対してその旨のダビング中情報を出力する。再生音声切り替え部３ａは、例えば、再生側がＶＴＲであるとすると、ステレオ音声の「ステレオ」又は「モノラル」音声の切り替え、２重音声（二カ国語）の「左（主音声）」又は「右（副音声）」又は「左右（主音声及び副音声）」の切り替えなどを行う。【選択図】  図４
2004234734.tif 000002
【特許請求の範囲】
【請求項１】
音声情報を含む情報の記録が可能な音声情報記録システムであって、複数種類の音声情報を切り替えることができる音声切替部を有し、前記複数種類の音声情報中から前記音声切替部により選択される音声情報を再生可能な音声再生装置の再生音声出力を記録する音声記録装置と、
前記音声再生装置から前記音声情報記録装置への音声情報を含む情報のダビング記録中は、前記音声切替部による音声の切替動作を禁止する制御を行う制御装置とを有する音声記録システム。
【請求項２】
音声情報を含む情報の記録が可能であり、複数種類の音声情報を切り替えることができる音声切替部を有し該音声切替部により前記複数種類の音声情報中から選択される音声情報を再生する音声再生装置の再生音声出力を記録する音声記録装置であって、
前記音声再生装置から前記音声情報記録装置への音声情報を含む情報のダビング記録中は、前記音声切替部による音声の切替動作を禁止する制御を行う制御部を有する音声記録装置。
【請求項３】
前記制御部は、前記音声再生装置に設けられていることを特徴とする請求項２に記載の音声記録装置。
【請求項４】
音声情報を含む情報の記録が可能であり、複数種類の音声情報の中から記録される音声を切り替えることができる再生音声切替部を有する複数の情報記録再生部を内蔵する記録再生複合機であって、
複数の前記記録再生部間における記録再生処理を制御する制御部であって、複数の前記情報記録部のうちの第１の情報記録再生部から該第１の情報記録再生部と異なる前記第２の情報記録再生部への前記音声情報を含む情報のダビング処理中に、再生側の前記再生音声切り替え部による音声切り替えを禁止するように制御する制御部を有する記録再生複合機。
【請求項５】
音声情報を含む情報の記録が可能な音声情報記録装置であって、複数種類の音声情報を切り替えることができる音声切替部を有し該音声切替部により前記複数種類の音声情報中から選択される音声情報を再生する音声再生装置からの再生音声出力を記録する音声記録装置と、
前記音声再生装置から前記音声記録装置への音声情報を含む情報のダビング処理時に、前記音声再生装置からの再生音声が切り替えられた旨の信号を検知すると、ダビング処理の中断命令が出力される制御を行う制御装置とを有する音声記録システム。
【請求項６】
音声情報を含む情報の記録が可能であり、複数種類の音声情報を切り替えることができる音声切替部を有し該音声切替部により前記複数種類の音声情報中から選択される音声情報を再生する音声再生装置からの再生音声出力を記録する音声記録装置であって、
前記音声再生装置から前記音声記録装置への音声情報を含む情報のダビング処理時に、前記音声再生装置からの再生音声が切り替えられた旨の信号を検知すると、ダビング処理の中断命令が出力される制御を行う制御部を有する音声記録装置。
【請求項７】
音声情報を含む情報の記録が可能であり、複数種類の音声情報を切り替えることができる音声切替部を有し該音声切替部により前記複数種類の音声情報中から選択される音声情報を再生する音声再生部と、該音声再生装置からの再生音声出力を記録する音声記録部とを内蔵する記録再生複合機であって、
前記音声再生部から前記音声記録部への情報のダビング処理時に、前記音声再生部からの再生音声が切り替えられた旨の信号を検知すると、ダビング処理の中断命令が出力される制御を行う制御部を有する音声記録装置。
【請求項８】
前記中断命令は、前記再生音声が切り替えられた旨の信号を検知してから一定期間中継続して出力されることを特徴とする請求項５から７までのいずれか１項に記載の音声記録装置。
【請求項９】
さらに、各種情報を表示する表示部を備え、
前記制御部は、前記ダビング処理中における各種音声イベント情報を前記表示部に表示するように制御することを特徴とする請求項１から８までのいずれか１項に記載の装置。
【発明の詳細な説明】
【０００１】
【発明の属する技術分野】
本発明は、映像信号や音声信号などを記録／再生することができる記録再生装置に関し、特に、ダビング時における記録音声の制御技術に関する。
【０００２】
【従来の技術】
従来、記録再生機は、例えばテレビジョン（以下、「テレビ」と称する。）放送をＶＴＲ（Ｖｉｄｅｏ  ｔａｐｅ  ｒｅｃｏｒｄｅｒ）、ＶＣＲなどに記録し、その後に記録されたテレビ放送の内容を再生する機能を有するものが多く開発されてきた。
【０００３】
最近、テレビ画面の高画質化と、情報記録技術の多様化・高度化に伴って、ＶＴＲ以外にＣＤやＤＶＤなどの異なる記憶媒体を用いた記録再生技術の開発も盛んになってきている。
【０００４】
それに伴い、ＶＴＲとＤＶＤ−ＲＯＭとの２種類の異なるメディアを１つの機器により再生でき、かつ、ＤＶＤ−ＲＯＭの記録内容をＶＴＲにダビングする技術が開発されている。
【０００５】
例えば、同一装置内にディスク再生部と磁気記録再生部とを備え、１つのボタンを押すだけでディスク再生部による音声／映像の再生信号を磁気記録再生部で記録可能とするワンタッチダビング機能を備えた記録再生装置がある（例えば、特許文献１参照）。この装置では、ビデオＣＤを再生してその記録情報をビデオテープにダビングする場合に、キー操作部内に設けたダビング操作ボタンを押すことによって、内部制御部がビデオＣＤ再生部を再生状態にし、ＶＣＲ側を記録状態に自動的に切り替えてダビングを実行することができる。この際、実際に外部に出力される信号は、使用者が手動で選択する。ダビングを行う場合は、使用者の手動位相合わせを行っていた。
【０００６】
【特許文献１】
特開平７−３１２０２０号公報
【０００７】
【発明が解決しようとする課題】
再生装置と記録装置とを備えたシステム又は両者を内蔵した記録再生複合機において、ダビング動作を行う際に、まず、再生装置側において再生音声を、ステレオ音声であれば「ステレオ」又は「モノラル」のいずれかを、二重音声（二カ国語）であれば、「左（主音声）」又は「右（副音声）」又は「左右（主音声及び副音声）」のいずれかから選択した後、記録装置において記録を開始する。
【０００８】
しかしながら、上記の動作を行うと、ダビング中に再生装置側の出力音声が不用意に切り替えられた場合、記録された音声も出力音声そのままの記録となってしまい、記録された音声に切り替え時の乱れが混じるという問題がある。また、ダビング中に再生装置側の出力音声がどのように記録装置側で記録されているかに関してユーザは認識できず、メディアに記録された音声を再生して初めてユーザが意図していない音声が混じっていることに気づくこともある。
本発明は、ダビング時の音声に関する乱れを防止することを目的とする。
【０００９】
【課題を解決するための手段】
本発明の一観点によれば、音声情報を含む情報の記録が可能な音声情報記録システムであって、複数種類の音声情報を切り替えることができる音声切替部を有し、前記複数種類の音声情報中から前記音声切替部により選択される音声情報を再生可能な音声再生装置の再生音声出力を記録する音声記録装置と、前記音声再生装置から前記音声情報記録装置への音声情報を含む情報のダビング記録中は、前記音声切替部による音声の切替動作を禁止する制御を行う制御装置とを有する音声記録システムが提供される。
ダビング記録中における音声切替を禁止する制御を行うことにより、ダビング期間中は一定の音声を記録することができる。
【００１０】
本発明の他の観点によれば、音声情報を含む情報の記録が可能な音声情報記録装置であって、複数種類の音声情報を切り替えることができる音声切替部を有し該音声切替部により前記複数種類の音声情報中から選択される音声情報を再生する音声再生装置からの再生音声出力を記録する音声記録装置と、前記音声再生装置から前記音声記録装置への音声情報を含む情報のダビング処理時に、前記音声再生装置からの再生音声が切り替えられた旨の信号を検知すると、ダビング処理の中断命令が出力される制御を行う制御装置とを有する音声記録システムが提供される。
【００１１】
ダビング処理中に再生音声が切り替えられた旨の信号を検知すると、ダビングを中止させることにより、音声が切り替えられた無駄な記録を停止することができる。
【００１２】
さらに、各種情報を表示する表示部を備え、前記制御部は、前記ダビング処理中における各種音声イベント情報を前記表示部に表示するように制御するのが好ましい。これにより、ユーザに対して、ダビングの中断の理由を報知することができる。
【００１３】
【発明の実施の形態】
以下の実施の形態においては、再生側と記録側との両方を内蔵する記録再生複合機を例にして説明するが、記録側と再生側とが別に設けられた装置を除外するものではなく、これらの装置（システム）も本発明の範疇に入るものである。
【００１４】
本発明の実施の形態による記録再生複合機について図面を参照して説明する。
図１は、本発明の実施の形態による記録再生複合機の正面図である。図１に示すように、本実施の形態による記録再生複合機Ａは、種々の機能を内蔵する箱体１と、ＶＴＲ記録再生部３と、ＤＶＤ−Ｒ／ＲＷ記録再生部５と、各種スイッチ部７と、ＶＴＲ側表示パネル／ＬＥＤ１１ａと、ＤＶＤ−Ｒ／ＲＷ側表示パネル／ＬＥＤ１１ｂと、リモコン受光部１２と、を有している。さらに、図２（Ａ）、（Ｂ）に示すように、記録再生複合機Ａとは別に、リモートコントロール装置１５を別途備えているのが一般的である。
【００１５】
図２（Ａ）、（Ｂ）に示すリモートコントロールスイッチ１５は、ＶＴＲとＤＶＤとのリモコン切り替えスイッチ１５ａと、ＴＶチャネル選局スイッチ部１５ｂと、ダビング方向キー１５ｃ（ビデオ→ＤＶＤ１５ｃ−１、ＤＶＤ→ビデオ１５ｃ−２）と、ダビング開始キー１５ｄと、を有している。リモートコントロール装置１５のみでも、ＶＴＲ記録再生部３と、ＤＶＤ−Ｒ／ＲＷ記録再生部５との記録再生操作が可能である。
【００１６】
尚、記録再生複合機は、ＶＴＲ部とＤＶＤ−ＲＷ部とを記録再生部として備えた機器を例として説明するが、その他の組み合わせについても、複数の記録再生器を備えている機器も本実施の形態による記録再生複合機に含まれる。もちろん、記録又は再生のみが可能な機器を含んでいても良い。また、記録再生複合機は、一般的な表示部、例えばＣＲＴや液晶画面などによる表示部と一体化されていても良い。
【００１７】
図３は、本実施の形態による記録再生複合機の主要構成例を示す機能ブロック図である。図３に示すように、本実施の形態による記録再生複合機は、箱体１と、ＶＴＲ（又はＶＣＲ）記録再生部３と、ＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、リモコン受光部１２と、外部入力インターフェイス部３１ａと、チューナ部３１と、内部入力スイッチ３３と、外部出力スイッチ３５と、出力端子３７と、制御部４１と、を含んで構成されている。実際には、後述のように、各種構成要素間に信号線路（配線）が設けられている。記録再生複合機と別体又は一体に出力再生部４５が設けられている。出力再生部４５は、一般に映像を表示する表示部（ディスプレイ）４５ａと、音声を出力するスピーカ部４５ｂとを含んで構成されている。
【００１８】
上記記録再生複合機の動作について説明する。通常、外部のテレビジョン放送の内容を記録する場合には、ユーザは、まず使用する記録メディアを選択する。
ＶＴＲテープに放送内容を記録する場合には、ＶＴＲ記録再生部３を用いる。ＤＶＤ−Ｒメディア又はＤＶＤ−ＲＷメディアに放送内容を記録する場合には、ＤＶＤ−Ｒ／ＲＷ記録再生部５を用いる。放送内容はチューナ３１により選局され内部入力スイッチ３３により切り替えられて、ＶＴＲ記録再生部３又はＤＶＤ−Ｒ／ＲＷ記録再生部５に送られる。
【００１９】
ＶＴＲテープに記録された情報内容を再生する場合には、ＶＴＲ記録再生部３が再生側となり、ＤＶＤ−Ｒメディア又はＤＶＤ−ＲＷメディアに記憶された情報内容を再生する場合には、ＤＶＤ−Ｒ／ＲＷ記録再生部５が再生側となる。再生された信号は、出力端子３７を介して出力再生部４５に対して出力される。再生信号のうち映像情報は表示部４５ａにおいて、音声情報はスピーカ部４５ｂにおいて再生される。
【００２０】
ＶＴＲテープに記録された情報内容をＤＶＤ−Ｒメディア又はＤＶＤ−ＲＷメディアにダビングする場合には、まず、ＤＶＤ−Ｒメディア又はＤＶＤ−ＲＷメディアの内容を確認し、ダビングしても良いメディアであるか否かを確認する。
ＤＶＤ−Ｒメディア又はＤＶＤ−ＲＷメディアを確認した後に、ユーザは例えばリモコン装置に設けられたダビング方向キー１５ｃをＶＴＲ→ＤＶＤの方向（１５ｃ−１）にして入力する。ダビング方向キー１５ｃがＶＴＲ→ＤＶＤの方向で入力されダビング開始キー１５ｄを押すと、Ｒ／Ｃ受光部１２を介して制御部４１が検出すると（信号線路Ｌ１）、制御部４１は、内部入力スイッチ３３に対して、ＶＴＲ記録再生部３から信号線路Ｌ３０−１を介して信号を出力し、この信号をＬ３０−２を介して記録側のＤＶＤ−Ｒ／ＲＷ記録再生部５に入力させる方にスイッチングさせる指示を行うとともに、外部出力スイッチ３５を介して出力端子とを介して（Ｌ３０−４、Ｌ３０−５）、出力再生部４５に出力する。尚、記録側のＤＶＤ−Ｒ／ＲＷ記録再生部５が信号を外部に出力するように外部出力スイッチ３５に対して指示を行う（Ｌ３０−３、Ｌ３０−４，Ｌ３０−５）ようにしても良い。
【００２１】
図４に、本実施の形態による音声制御技術の例を示す。図４に示すように、本実施の形態による記録再生複合機Ａに含まれる例えばＶＴＲ記録再生部３には、再生音声切り替え部３ａが設けられている。ＶＴＲ記録再生部３からＤＶＤ−Ｒ／ＲＷ記録再生部５に情報のダビングを行う際に、ダビング開始キー１５ｄ（図２）が押されると制御部４１がダビング起動中である旨を検知し、ＶＴＲ記録再生部３に対してその旨のダビング中情報を出力する。
【００２２】
再生音声切り替え部３ａは、再生側が例えばＶＴＲであるとすると、ステレオ音声の「ステレオ」又は「モノラル」音声の切り替え、２重音声（二カ国語）の「左（主音声）」又は「右（副音声）」又は「左右（主音声及び副音声）」の切り替えなどを行う。再生側がＤＶＤであるとすると、上記の例の他に、「日本語」と「英語」などの多言語音声の切り替え（ＤＶＤでは音声が多言語入っているものがあり、各言語の音声にそれぞれ切り替えることができる。）、又は、デジタル出力音声の「ドルビーデジタル」又は「ＤＴＳ（Ｄｉｇｉｔａｌ  Ｔｈｅａｔｅｒ  Ｓｙｓｔｅｍ）」の切り替えなどを行う。
【００２３】
再生側の例えばＶＴＲ記録再生部３は、制御部４１からのダビング情報を検出すると、再生音声切り替え部３ａによる上記の音声切り替え処理を禁止することにより、切り替えられない一定の音声をＶＴＲ記録再生部３が再生音声として出力する。これらの音声切り替えを禁止のための制御は制御部４１において行っても良い。
【００２４】
これにより、記録側のＤＶＤ−Ｒ／ＲＷ記録再生部５において記録メディアに記録される音声信号は一定の音声信号となり、ユーザが意図しない余計な音声切り替えやそれに伴う音声の乱れがなくなる。従って、クリアな音声情報を記録メディアに記録することができる。
【００２５】
次に、本発明の第２の実施の形態による記録再生複合機について図１〜図３までと、図５とを参照しつつ説明する。本実施の形態による記録再生複合機も、第１の実施の形態による記録再生複合機と同様に、図１〜３までに示す構成を有している。図５に示すように、本実施の形態による記録再生複合機は、図４に示す記録再生複合機とほぼ同様の構成を有しており、ＶＴＲ記録再生部３には、再生音声切り替え部３ａが設けられている。ＶＴＲ記録再生部３からＤＶＤ−Ｒ／ＲＷ記録再生部５に情報のダビングを行っている期間中に、再生音声切り替え部３ａにおいて再生音声の切り替えが行われると、その音声切り替え情報が制御部（制御マイコン）４１に出力され、制御部４１から記録側のＤＶＤ−Ｒ／ＲＷ記録再生部５に対してダビング中断命令が出力される。ＤＶＤ−Ｒ／ＲＷ記録再生部５は、制御部４１からのダビング中断命令を受け、これを検知すると記録動作を一旦停止する。ユーザーが指定したい音声の選択を終えて、再度ダビング開始キー１５ｄ（図２）が押されると、ダビング動作を再開する（ユーザーのキー操作に委ねる）。これにより、ダビング中に音声切り替えが行われた場合にも、記録側のＤＶＤ−Ｒ／ＲＷ記録再生部５において記録メディアに記録される音声情報は一定となり、ダビング中における不用な音声の切り替えや乱れのない記録が可能となる。
【００２６】
次に、本発明の第３の実施の形態による記録再生複合機について図１〜図３までと、図６とを参照しつつ説明する。本実施の形態による記録再生複合機も、第１の実施の形態による記録再生複合機と同様に、図１〜３までに示す構成を有している。図６に示すように、本実施の形態による記録再生複合機は、図４、５に示す記録再生複合機とほぼ同様の構成を有している。図６は、再生側のＶＴＲ記録再生部３と、記録側のＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、の少なくとも一方による表示部１１と、制御部４１との関係を示している。
【００２７】
ダビング開始キー１５ｄ（図２）が押され、再生側のＶＴＲ記録再生部３から記録側のＤＶＤ−Ｒ／ＲＷ記録再生部５への情報のダビングを行う際に、ＶＴＲ記録再生部３からＤＶＤ−Ｒ／ＲＷ記録再生部５に対して音声信号、映像信号などの再生信号が出力される。制御部（制御マイコン）４１においては、再生中の音声（再生音声情報）を検知し、制御部４１は、この再生音声情報に基づいて、記録されている音声情報を表示部１１に表示させる。
【００２８】
例えば、再生側がＶＣＲであるとすると、切り替えられる音声は、ステレオ音声の「ステレオ」又は「モノラル」音声、２重音声（二カ国語）の「左（主音声）」又は「右（副音声）」又は「左右（主音声及び副音声）」であり、再生側がＤＶＤであるとすると、上記の例の他に、多言語音声の「日本語」と「英語」など（ＤＶＤでは音声が多言語入っているものがあり、各言語の音声にそれぞれ切り替えることができる。）、又は、デジタル出力音声の「ドルビーデジタル」又は「ＤＴＳ」などを含む。
【００２９】
図７に、表示装置における表示例を示す。図７に示すように、表示装置（表示パネル）１１においては、再生及び記録中（ダビング中）の音声情報を表示する。一例として、再生側のステレオ音声が「Ｌ」チャネルのみの出力である場合には、記録側で記録される音声は「Ｌ」、「Ｒ」チャネルともに再生側の「Ｌ」チャネルの音声となるため、図７に示すように、再生Ｌ→記録Ｌ、再生Ｌ→記録Ｒと表示される。これにより、上記の音声信号の再生・記録状態を表示することができ、ユーザに認識させることができる。
【００３０】
以上のように、本実施の形態による記録再生複合機を用いると、ダビング中の音声情報を知ることができるため、例えば意図しない音声が記録させたままになるような状況を防止することができる。
【００３１】
以上、本実施の形態に沿って説明したが、本発明はこれらの例に限定されるものではなく、種々の変形が可能であるのは言うまでもない。媒体としては、ＣＤ−Ｒ（Ｗ）、ＤＶＤ−Ｒ／ＲＷ、ＤＶＤ−ＲＡＭ、ＭＤ、不揮発性メモリカード、ハードディスク（カード）などの種々の記録再生可能な情報記録媒体に適用可能である。媒体の種類などにより仕様が変更されたとしても、本発明の技術思想の範囲内において本発明の思想が適用可能であることは言うまでもない。
【００３２】
【発明の効果】
記録側の装置において記録される音声信号が一定の音声信号となり、余計な音声切り替えやそれに伴う音声の乱れのないクリアな音声を含む情報を記録することができる。また、ダビング中の音声情報を知ることができるため、例えば意図しない音声が記録させたままになるような状況を防止することができる。
【図面の簡単な説明】
【図１】本発明の実施の形態による記録再生複合機の正面図である。
【図２】本発明の実施の形態による記録再生複合機に制御を行うリモートコントロール装置の概略構成図である。
【図３】本発明の実施の形態による記録再生複合機の内部構成例を示す機能ブロック図である。
【図４】本発明の第１の実施の形態による記録再生複合機を用いた音声制御技術例を示す概略図である。
【図５】本発明の第２の実施の形態による記録再生複合機を用いた音声制御技術例を示す概略図である。
【図６】本発明の第３の実施の形態による記録再生複合機を用いた音声制御技術例を示す概略図である。
【図７】本発明の第３の実施の形態による記録再生複合機における音声情報の表示例を示す図である。
【符号の説明】
Ａ…記録再生複合機、１…箱体、３…ＶＴＲ記録再生部、３ａ…再生音声切り替え装置、５…ＤＶＤ−Ｒ／ＲＷ記録再生部、７…各種スイッチ部、１１…表示部、１１ａ…ＶＴＲ側表示パネル／ＬＥＤ、１１ｂ…ＤＶＤ−Ｒ／ＲＷ側表示パネル／ＬＥＤ、１２…リモコン受光部、１５…リモートコントロール装置、１５ｃ…ダビング方向キー、１５ｄ…ダビング開始キー、３１ａ…外部入力インターフェイス部、３１…チューナ部、３３…内部入力スイッチ、３５…外部出力スイッチ、３７…出力端子、４１…制御部、４５…出力再生部（表示装置）。
【図１】
2004234734.tif 000003
【図２】
2004234734.tif 000004
【図３】
2004234734.tif 000005
【図４】
2004234734.tif 000006
【図５】
2004234734.tif 000007
【図６】
2004234734.tif 000008
【図７】
2004234734.tif 000009